(57)【要約】【課題】湯浴内に貯留された金属の溶湯に部分的に浸漬される温度センサの保護管等の溶湯浸漬部材に付着する付着層を容易に除去し得る保護カバーを提供することにある。【解決手段】湯浴２２内に貯留された金属の溶湯に部分的に浸漬される温度センサの保護管２０に装着される保護カバー２４であって、該保護カバー２４が、溶湯２２に対して化学的及び物理的に安定しているセラミックペーパーによって形成され、且つ保護管２０の溶湯液面及びその近傍に相当する部分の外周囲に着脱可能に囲繞されていることを特徴とする。【選択図】        図１
2004223527.tif 000002
【特許請求の範囲】
【請求項１】
湯浴内に貯留された金属の溶湯に部分的に浸漬される配管や温度センサの保護管等の溶湯浸漬部材に装着される保護カバーであって、
該保護カバーが、前記溶湯に対して化学的及び物理的に安定している材料によって形成され、且つ前記溶湯浸漬部材の溶湯液面及びその近傍に相当する部分の外周囲に着脱可能に囲繞されていることを特徴とする保護カバー。
【請求項２】
保護カバーが、セラミック製の短繊維を抄紙して得たセラミックペーパーから成る請求項１記載の保護カバー。
【請求項３】
保護カバーが、セラミック製の筒体が分割された分割体から成る請求項１記載の保護カバー。
【請求項４】
湯浴内に貯留された金属の溶湯に、部分的に浸漬される配管や温度センサの保護管等の溶湯浸漬部材が設けられた溶湯保持炉において、
該溶湯浸漬部材の溶湯液面及びその近傍に相当する部分の外周囲に、前記溶湯に対して化学的及び物理的に安定している材料から成る保護カバーが着脱可能に囲繞されていることを特徴とする溶湯保持炉。
【請求項５】
保護カバーが、セラミック製の短繊維を抄紙して得たセラミックペーパーから成る請求項４記載の溶湯保持炉。
【請求項６】
保護カバーが、セラミック製の筒体が分割された分割体から成る請求項４記載の溶湯保持炉。
【発明の詳細な説明】
【０００１】
【発明の属する技術分野】
本発明は保護カバー及び溶湯保持炉に関し、更に詳細には湯浴に貯留された金属の溶湯に、部分的に浸漬される配管や温度センサの保護管等の溶湯浸漬部材に装着される保護カバー及び前記保護カバーが装着された溶湯浸漬部材が用いられた溶湯保持炉に関する。
【０００２】
【従来の技術】
アルミニウム等の金属の鋳造には、図３に示す様に、金属を熔かした溶湯を貯留しておく溶湯保持炉１０が用いられている。かかる溶湯保持炉１０には、溶湯を成形型等に送り出す送湯ポンプ１２が設けられている。この送湯ポンプ１２は、モータ等の送湯駆動装置１４によって駆動され、導管１６を介して成形型等に溶湯を送り出す。
かかる溶湯保持炉１０には、下記特許文献１に記載されている様に、溶湯を貯留する湯浴内の溶湯を加熱する加熱ヒータが設けられている。この加熱ヒータは、図４に示す様に、セラミック製の保護管１００内に収納されて溶湯１０４内に挿入されている。更に、溶湯の温度検出に用いられる熱伝対等の温度センサも、同様に、セラミック製の保護管内に挿入されて溶湯１０４内に挿入されている。
【０００３】
【特許文献１】
特開２００１−３１６７３３号公報（図１）
【０００４】
【発明が解決しようとする課題】
かかる加熱ヒータや温度センサによって、溶湯保持炉１０内の湯浴内の溶湯を所定温度に保持できる。
ところで、保護管１００は、図４に示す如く、溶湯１０４が貯留される湯浴の壁１８を貫通し、その先端部が溶湯１０４内に浸漬されている。
このため、保護管１００の中途部は、溶湯１０４の液面に接触している。かかる溶湯の液面には、空気中の酸素と接触して形成された酸化物被膜が形成されている。この酸化物被膜は、溶湯の液面と接触している保護管１００の中途部の外周面にも付着し、次第に蓄積する。
かかる酸化物被膜等が保護管１００の外周面に次第に蓄積とすると、保護管１００の熱伝導性等の特性が低下するため、保護管１００を抜き出して付着した付着層を除去することが行われている。
【０００５】
しかしながら、保護管１００に付着した付着層の除去は容易ではなく、例えば酸に溶解させる等の除去手段を採用せざるを得ず、相当の時間と経費とを必要としていた。
また、かかる除去手段を施しても付着層を充分に除去できない場合には、保護管１００を廃棄処分とせざるを得ず、加熱ヒータや温度センサ等の各々に用いられる各種保護管の予備品を常に保管していることを要する。
そこで、本発明の課題は、湯浴内に貯留された金属の溶湯に部分的に浸漬される温度センサの保護管等の溶湯浸漬部材に付着する付着層を容易に除去し得る除去手段及び前記除去手段を具備する溶湯浸漬部材を装着した溶湯保持炉を提供することにある。
【０００６】
【課題を解決するための手段】
本発明者は、前記課題を解決するには、除去手段として、保護管の溶湯液面及びその近傍に相当する部分の外周囲に着脱自在に装着できる保護カバーを用いることが有効と考え検討した結果、本発明に到達した。
すなわち、本発明は、湯浴内に貯留された金属の溶湯に部分的に浸漬される配管や温度センサの保護管等の溶湯浸漬部材に装着される保護カバーであって、該保護カバーが、前記溶湯に対して化学的及び物理的に安定している材料によって形成され、且つ前記溶湯浸漬部材の溶湯液面及びその近傍に相当する部分の外周囲に着脱可能に囲繞されていることを特徴とする保護カバーにある。
また、本発明は、湯浴内に貯留された金属の溶湯に、部分的に浸漬される配管や温度センサの保護管等の溶湯浸漬部材が設けられた溶湯保持炉において、該溶湯浸漬部材の溶湯液面及びその近傍に相当する部分の外周囲に、前記溶湯に対して化学的及び物理的に安定している材料から成る保護カバーが着脱可能に囲繞されていることを特徴とする溶湯保持炉でもある。
【０００７】
かかる本発明において、セラミック製の短繊維を抄紙して得たセラミックペーパーを、保護管等の所定部分に巻き付けて保護カバーを形成することによって、保護管等の任意の箇所に容易に保護カバーを形成できる。
また、セラミック製の筒体が分割された分割体から成る保護カバーを用いることによって、保護管等の所定部分に保護カバーを容易に着脱自在に装着できる。
【０００８】
本発明に係る保護カバーを、保護管等の溶湯浸漬部材の溶湯液面及びその近傍に相当する部分の外周囲に着脱可能に囲繞することによって、溶湯の液面に形成された酸化物被膜は保護カバーに付着して付着層を形成する。
かかる付着層は、保護管等の溶湯浸漬部材を抜き出して保護カバーを取り外すことによって容易に除去できる。
ここで、付着層は主として保護カバーに付着するため、例え、保護管等の溶湯浸漬部材の周面にも酸化物被膜が付着しても、その付着量は少量であり容易に除去できる。
【０００９】
【発明の実施の形態】
本発明において用いる溶湯保持炉は、図３に示す溶湯保持炉１０を用いることができる。このため、図３に示す溶湯保持炉１０に設けられている送湯ポンプ、送湯駆動装置及び導管は、図３に示すものと同一物を用いることができ、図３と同一番号を付して詳細な説明を省略する。
かかる溶湯保持炉１０内に保持されているアルミニウム等の金属の溶湯には、図１に示す様に、温度センサ等が収容されたセラミック製の保護管２０が、溶湯２２を貯留している湯浴の壁１８を貫通し、その先端部が溶湯２２内に挿入されている。
この保護管２０の溶湯液面及びその近傍に相当する部分の外周囲に、保護カバー２４が着脱自在に囲繞されている。
かかる保護カバー２４は、浸漬される溶湯に対して化学的及び物理的に安定している材料によって形成されていることを要する。
このため、溶湯に対して化学的及び物理的に安定しているセラミックから成る保護カバー２４を好適に用いることができる。
かかるセラミックから成る保護カバー２４としては、セラミックペーパーから成る保護カバー２４を挙げることができる。かかるセラミックペーパーは、セラミック製の短繊維に少量の有機バインダーを加え、抄造機によって抄紙して得られたものである。得られたセラミックペーパーは、溶湯に対して化学的に安定であり且つ耐熱性にも優れていることは勿論のこと、柔軟性に富んでおり、折り曲げできるものである。
【００１０】
かかるセラミックペーパーを用いて保護カバー２４を形成する際には、セラミックペーパーを所定幅の帯状体に切断し、この帯状体を保護管２０の溶湯液面及びその近傍に相当する部分の外周囲に巻き付けることによって保護カバー２４を形成できる。
この際に、保護管２０に巻き付けた帯状体上に、例えば紐状の止め具を巻き付けることによって、保護カバー２４を保護管２０に容易に装着でき、巻き付けた紐状の止め具を巻き戻すことによって保護カバー２４を保護管２０から容易に取り外すことができる。
尚、かかるセラミックペーパーの巻付数は、溶湯２２を貯留している湯浴の壁１８から保護管２０を容易に引き抜ける範囲内で、二重巻き以上としてもよい。
【００１１】
かかるセラミックペーパーから成る保護カバー２４に代えて、図２に示す様に、セラミック製の筒体を分割した分割体２６ａ，２６ａを、保護管２０に押し付けて形成した保護カバー２６であってもよい。
かかる保護カバー２６も、保護管２０に押し付けた分割体２６ａ，２６ａ上に紐状の止め具を巻き付けることによって、形成された保護カバー２６を保護管２０に容易に装着でき、巻き付けた紐状の止め具を巻き戻すことによって保護カバー２６を分割体２６ａ，２６ａに分割して保護管２０から容易に取り外すことができる。
ここで、セラミックペーパーから成る保護カバー２４を保護管２０に装着する際に用いる紐状の止め具、或いはセラミック製の分割体２６ａ，２６ａから成る保護カバー２６を保護管２０に装着する際に用いる紐状の止め具は、浸漬される溶湯に対して化学的及び物理的に安定している材料によって形成されているものであって、例えばアルミニウムの溶湯の場合は、セラミックから成る線状の止め具を好適に用いることができる。
【００１２】
また、保護カバー２４又は保護カバー２６を保護管２０に装着する際に、保護管２０に予めフック等の引掛けを形成しておき、この引掛けにセラミックペーパー又は分割体２６ａ，２６ａを引掛けて形成した保護カバー２４又は保護カバー２６を保護管２０に装着するようにしてもよい。
更に、図１及び図２には、温度センサ等が収容されたセラミック製の保護管２０に着脱自在に装着する保護カバー２４（２６）について説明したが、加熱ヒータを収容する保護管にも、同様に保護カバー２４（２６）を装着できる。
また、溶湯に部分的に浸漬する配管や送湯ポンプ１２の溶湯液面及びその近傍に相当する部分の外周囲にも、保護カバー２４（２６）を装着することによって酸化物被膜が付着して形成される付着層を容易に除去できる。
【００１３】
【発明の効果】
本発明によれば、保護管等の溶湯液面及びその近傍に相当する部分の外周囲に付着する付着層の除去を容易に行うことができ、付着層の除去に要する時間と経費とを軽減できる。
また、付着層の除去が困難であることに起因して廃棄する保護管等を減少でき、保護管等の予備品の保管量を減少できる。
【図面の簡単な説明】
【図１】本発明に係る保護カバーを装着した状態を説明する部分断面図である。
【図２】本発明に係る保護カバーの他の例を説明する横断面図である。
【図３】溶湯保持炉の一例の概略を説明する説明図である。
【図４】溶湯保持炉に保持された溶湯内に先端部が浸漬された保護管を説明する部分断面図である。
【符号の説明】
１０  溶湯保持炉
１２  送湯ポンプ
１４  送湯駆動装置
１６  導管
１８  壁
２０  保護管
２２  溶湯
２４，２６  保護カバー
２６ａ，２６ａ  分割体
【図１】
2004223527.tif 000003
【図２】
2004223527.tif 000004
【図３】
2004223527.tif 000005
【図４】
2004223527.tif 000006